(57)【要約】【課題】電線余長収容ケース内に挿通している電線を、他の電線との組付作業時に長く寸法で引き出せるようにして、電線長さが過度に長くなるのを防止する。【解決手段】スライドシートのスライド距離に対応した余長部を設けた前記ワイヤハーネスの長さ方向の中間部を移動自在に迂回させて挿通している電線余長収容ケースを設け、  前記電線余長収容ケースを、自動車の運転席と助手席の間に設けられているコンソールボックスの外面または内面で且つ前記スライドシートのシートの底面より高い位置に固定している。【選択図】図２
2015080390.tif 000002
【特許請求の範囲】
【請求項１】
自動車のスライドシート内に配線しているシートハーネスと、フロア側に配索されるフロアハーネスを接続するスライドシート用ワイヤハーネスの配索装置であって、
前記スライドシートのスライド距離に対応した余長部を設けた前記ワイヤハーネスの長さ方向の中間部を移動自在に迂回させて挿通している電線余長収容ケースを設け、
前記電線余長収容ケースを、自動車の運転席と助手席の間に設けられているコンソールボックスの外面または内面で且つ前記スライドシートのシートの底面より高い位置に固定していることを特徴とするスライドシート用ワイヤハーネスの配索構造。
【請求項２】
前記電線余長収容ケースに挿通するワイヤハーネスは前記フロアハーネスの幹線から分岐した枝線であり、前記電線余長収容ケースのシート側引出口から引き出すワイヤハーネスの端末を前記スライドシートのシート底面側で前記シートハーネスとコネクタ接続している請求項１に記載のスライドシート用ワイヤハーネスの配索構造。
【請求項３】
前記電線余長収容ケースをコンソールボックスの外面または内面に固定する高さ位置は、前記スライドシートのシートを原状の水平に戻した正常位置でのシート底面側のワイヤハーネス接続位置より高い位置とし、前記正常位置における前記ワイヤハーネス接続位置までの電線余長収容ケースからのワイヤハーネスの長さが、シートを上方傾斜させるワイヤハーネス接続作業時におけるシート底面の前記ワイヤハーネス接続位置までの電線余長収容ケースからのワイヤハーネスの必要長さと略同等としている請求項１または請求項２に記載のスライドシート用ワイヤハーネスの配索構造。
【請求項４】
前記コンソールボックスに固定する前記電線余長収容ケースは、長円形状の迂回部と、該迂回部の上側長辺の全長に沿うと共に更に長さ方向の一端側を延在させた直線状のスライダ嵌合部とを組み合わせて全体形状を略Ｊ形状とし、上側の前記スライダ嵌合部の上面にスライダ摺動溝からなるシート側引出口を設け、
前記電線余長収容ケース内に前記ワイヤハーネスの余長部を移動自在に迂回させて挿通し、該ワイヤハーネスのシート連結側にスライダを外嵌固定し、該スライダを前記スライダ摺動溝に摺動自在に装着すると共に該スライダより引き出して端末コネクタを前記シートハーネスの端末コネクタと嵌合接続している請求項１乃至請求項３のいずれか１項に記載のスライドシート用ワイヤハーネスの配索構造。
【請求項５】
前記ワイヤハーネスの電線群はキャタピラ型の外装材で外装しており、該外装材は帯状の平板に長さ方向に延在すると共に幅方向に間隔をあけて設けた複数本の折曲ラインを折り曲げて四角筒型とすると共に、長さ方向に間隔をあけて幅方向に切り込みを入れて筒型の一方側を分離させると共に他方側を連続させ、前記一方側は屈曲するが他方側は屈曲しない状態で連結している請求項１乃至請求項４のいずれか１項に記載のスライドシート用ワイヤハーネスの配索構造。
【発明の詳細な説明】
【技術分野】
【０００１】
本発明はスライドシート用ワイヤハーネスの配索装置に関し、特に、自動車に搭載されスライドシートにフロア側から配索するワイヤハーネスを過度に長くすることなく配索できるようにするものである。
【背景技術】
【０００２】
自動車のシートには電動リクライニング装置やシートヒータなど種々の電装品が装備されており、これらの電装品に給電するために、車体フロア側からシートに給電用のワイヤハーネスが配索されている。スライドシートの場合、ワイヤハーネスをシートのスライド動作に追従させる必要があるため、ワイヤハーネスに余長部を持たせて配索している。従来の一般的なスライドシートの最大移動長さは２４０〜３００ｍｍであるが、近時、助手席側のスライドシートの最大移動長さを４００〜１２００ｍｍと長くしたロングスライドシートが提供されており、ロングスライドシートとする場合には、ワイヤハーネスの余長を更に伸ばす必要がある。
【０００３】
この種のスライドシート用のワイヤハーネス配索装置として、特開２０１０−１９３５９９号公報（特許文献１）に、スライドシートのシートレールの側方に隣接して平行にワイヤハーネス用レールをフロアに敷設すると共に、該ワイヤハーネス用レールの側方に隣接して平行に電線余長収容ケースを設置している装置が提供されている。該装置では、スライドシートに配線されるワイヤハーネは電線余長収容ケース内に挿通され、該電線余長収容ケースからワイヤハーネス用レールへ挿通され、該ワイヤハーネス用レール内でスライドシートと連動するスライダ内を通されてスライドシートに配線されている。
【０００４】
前記装置では、ワイヤハーネス用レールおよび電線余長収容ケースをフロア側に固定しているが、本出願人の先願の特願２０１２−２７８７２７号では、スライドシート側に電線余長収容ケースを固定し、該電線余長収容ケースから引き出すワイヤハーネスをフロアに配線してフロアハーネスと接続している。
この場合、図９（Ａ）（Ｂ）に示すように、スライドシート１００のシート１０１の底部側面等に、電線余長収容ケース１０５を固定している。該電線余長収容ケース１０５はＵ字状の迂回部１０５ａと、該迂回部１０５ａの一端より延在し、連続したワイヤハーネス引出口１０５ｂを設けたレール部１０５ｃとを備えたＪ字形状としている。前記迂回部１０５ａ内でのワイヤハーネス１１０の迂回量をスライドシートの前後移動に追従させて変化させ、ワイヤハーネス引出口１０５ｂからワイヤハーネス１１０に結合したスライダ１１１を引き出し、該スライダ１１１からフロア側に延在させるワイヤハーネス１１０をフロアＦ側に設置したハーネスレール１０８内に引き込んでいる。
【０００５】
前記電線余長収容ケース１０５内を挿通するワイヤハーネス１１０は、長さ方向の一端側に取り付けたクリップをシート側引出口１０５ｄの近傍でシート側に係止して位置決め保持し、該ワイヤハーネスの先端に接続したコネクタをシート内に配索するシートハーネスにコネクタ接続している。一方、他端側にスライダ１１１を取り付け、スライダ１１１からフロアＦ側へ引き出している。
【先行技術文献】
【特許文献】
【０００６】
【特許文献１】特開２０１０−１９３５９９号公報
【特許文献２】特願２０１２−２７８７２７号
【発明の概要】
【発明が解決しようとする課題】
【０００７】
前記のように、スライドシート１００内のシートハーネスとフロアＦ側のフロアハーネスとを接続するスライドシート用のワイヤハーネス１１０は、電線余長収容ケース１０５からフロア側へ引き出す長さを短くして周辺機器等と干渉しないようにすることが好ましい。
【０００８】
図１０に示すように、ワイヤハーネス１１０をスライドシート１００に接続する作業は、スライドシート１００のシート１０１の前端を持ち挙げて上方傾斜させ、この傾斜した状態で、フロアに配索するフロアハーネス１１５から分岐するワイヤハーネス１１０を挿通している電線余長収容ケース１０５をシート１０１に固定し、該電線余長収容ケース１０５に通しているワイヤハーネス１１０をシート１０１内に配線しているシートハーネスと接続している。
【０００９】
前記電線余長収容ケース１０５に挿通するワイヤハーネス１１０の長さは、前記のように、周縁の外部材と干渉しないように短くすることが好ましい。これに対して、図１０に示すように、シート１０１を傾斜させると、シート底面に固定する電線余長収容ケース１０５とフロアＦとの距離が長くなる。この距離は、シート１０１を水平に戻した状態の電線余長収容ケース１０５からフロアＦ側へ伸びるワイヤハーネス１１０の長さより長くなる。そのため、ワイヤハーネスの長さＬを大として、ワイヤハーネスの接続作業がスムーズに行えるようにする必要がある。
フロア側に電線余長収容ケースを固定し、該電線余長収容ケース内からスライドシート側へワイヤハーネスを引き出してシートハーネスと接続する場合も同様で、シートを傾斜させて組みつける際には、スライドシートとフロアの距離が長くなるため、ワイヤハーネスの長さを組み付けに必要な長さにしておく必要がある。
【００１０】
しかしながら、ワイヤハーネスの組付および接続作業のために、ワイヤハーネス長さを大とすると、ワイヤハーネス接続作業後に、スライドシートのシートを元の使用時の水平状態に戻した際にワイヤハーネスの長さが過度に長くなる。よって、この長いワイヤハーネスを電線余長収容ケース内に収容する場合、電線余長収容ケースが大型化して設置スペースを取る問題がある。また、電線余長収容ケースより引き出すワイヤハーネスの長さを大とすると周辺機器に接触し、ワイヤハーネスに損傷が生じる恐れがある。
さらに、電線余長収容ケース１０５をスライドシートのシート底面に設置すると、シート下方のスペースが狭くなり、該スペースを有効活用できなくなる問題がある。
【００１１】
本発明は前記問題に鑑みてなされたもので、スライドシートのシートを傾斜させてワイヤハーネスを組み付ける作業時に、電線余長収容ケースから引き出せるワイヤハーネスの長さが過度に長くならないようにし、かつ、スライドシートのシート下方のスペースを有効活用できるようにすることを課題としている。
【課題を解決するための手段】
【００１２】
前記課題を解決するため、本発明は、自動車のスライドシート内に配線しているシートハーネスと、フロア側に配索されるフロアハーネスを接続するスライドシート用のワイヤハーネスの配索装置であって、
前記スライドシートのスライド距離に対応した余長部を設けた前記ワイヤハーネスの長さ方向の中間部を移動自在に迂回させて挿通している電線余長収容ケースを設け、
前記電線余長収容ケースを、自動車の運転席と助手席の間に設けられているコンソールボックスの外面または内面で且つ前記スライドシートのシートの底面より高い位置に固定していることを特徴とするスライドシート用ワイヤハーネスの配索構造を提供している。
【００１３】
前記電線余長収容ケースに挿通するワイヤハーネスは前記フロアハーネスの幹線から分岐した枝線であり、前記電線余長収容ケースのシート側引出口から引き出すワイヤハーネスの端末を前記スライドシートのシート底面側で前記シートハーネスとコネクタ接続している。
【００１４】
前記コンソールボックスの内部に前記電線余長収容ケースを固定する場合、該コンソールボックス内の上部は蓋で開閉される小物収容部とされ、下部は空き空間となっている場合が多く、この空き空間内に電線余長収容ケースを配置し、該コンソールボックスの側壁にワイヤハーネス挿通穴を設け、該挿通穴から引き出したワイヤハーネスを隣接するスライドシートのシート底部へと配線してシートハーネスと接続することが好ましい。
【００１５】
前記電線余長収容ケースをコンソールボックスの外面または内面に固定する高さ位置は、前記スライドシートのシートを原状の水平に戻した正常位置でのシート底面側のワイヤハーネス接続位置より高い位置とし、前記正常位置における前記ワイヤハーネス接続位置までの電線余長収容ケースからのワイヤハーネスの長さが、シートを上方傾斜させるワイヤハーネス接続作業時におけるシート底面の前記ワイヤハーネス接続位置までの電線余長収容ケースからのワイヤハーネスの必要長さと略同等としている。
これにより、ワイヤハーネスの長さを接続作業のために長くする必要はない。
【００１６】
前記のように、電線余長収容ケースをコンソールボックスのスライドシート側の側壁外面あるいは該スライドシートの内部で且つスライドシートのシート底面より高い位置に電線余長吸収ボックスを固定している。よって、車室床材の下方でフロアパネル上に電線余長収容ケースを設置する場合と比較して、ワイヤハーネスの電線の余長寸法を短くできる。従って、ワイヤハーネスをスライドシート内のシートハーネスと接続する組付作業時のために長くしておく必要はなく、電線余長吸収ボックスの大型化を防止できると共に、ワイヤハーネスの過度な長さ部分が周縁機器に接触するのを防止できる。
かつ、スライドシートのシート底面に電線余長吸収ボックスを設置しないため、シート下方にスペースを取らず、該スペースの有効活用を図ることができる。
【００１７】
前記コンソールボックスに固定する前記電線余長収容ケースは、長円形状の迂回部と、該迂回部の上側長辺の全長に沿うと共に更に長さ方向の一端側を延在させた直線部とを組み合わせて全体形状を略Ｊ形状とし、上側の前記直線部をスライダ嵌合部とし、該スライダ嵌合部の上面にスライダ摺動溝からなるシート側引出口を設け、
前記電線余長収容ケース内に前記ワイヤハーネスの余長部を移動自在に迂回させて挿通し、該ワイヤハーネスのシート連結側にスライダを外嵌固定し、該スライダを前記スライダ摺動溝に摺動自在に装着すると共に該スライダより引き出して端末コネクタを前記シートハーネスの端末コネクタと嵌合接続している。
前記電線余長収容ボックスの下部の迂回部の一端に設けたフロア側引出口から引き出す前記ワイヤハーネスはフロアハーネスの幹線から分岐させている。
なお、フロアハーネスと分割し、前記電線余長収容ボックスに挿通したワイヤハーネスの端末をフロアハーネスの枝線とコネクタ接続してもよい。
【００１８】
また、前記ワイヤハーネスの電線群はキャタピラ型の外装材で外装し、該外装材は帯状の平板に長さ方向に延在すると共に幅方向に間隔をあけて設けた複数本の折曲ラインを折り曲げて四角筒型とすると共に、長さ方向に間隔をあけて幅方向に切り込みを入れて筒型の一方側を分離させると共に他方側を連続させ、前記一方側は屈曲するが他方側は屈曲しない状態で連結している。
前記ワイヤハーネスを電線余長収容ケースおよびスライダに貫通してスライドシートのシートハーネスと連結する端末まで前記四角筒状のキャタピラ型の外装材で外装した場合、電線余長収容ケースの高さは外装材の高さに相当させ、かつ、前記スライダは断面四角形状の角筒とすると、外装材をガタツキなく通すことができる。
【発明の効果】
【００１９】
前記のように、本発明のスライドシート用ワイヤハーネスの配索装置は、電線余長収容ケースをコンソールボックスのスライドシート側の側壁外面あるいは該スライドシートの内部で且つスライドシートのシート底面より高い位置に固定している。よって、車室床材の下方でフロアパネル上に電線余長収容ケースを設置する場合またはスライドシートのシートに電線余長収容ケースを設置する場合と比較して、ワイヤハーネスの電線の余長寸法を短くできる。そのため、ワイヤハーネスをシートハーネスと接続する組付作業のために長くしておく必要はなく、電線余長吸収ボックスの大型化を防止できると共に、ワイヤハーネスの過度な長さ部分が周縁機器に接触するのを防止できる。かつ、スライドシートのシート底面に電線余長吸収ボックスを設置しないため、シート下方にスペースを取らず、該スペースの有効活用を図ることができる。
【図面の簡単な説明】
【００２０】
【図１】本発明の第１実施形態を示し、（Ａ）は自動車のスライドシートを示す概略平面図、（Ｂ）は一部斜視図である。
【図２】前記第１実施形態のワイヤハーネスの配索装置を示し、（Ａ）は要部断面図、（Ｂ）は電線余長収容ケースの設置高さを説明するための図面である。
【図３】前記電線余長収容ケースの斜視図である。
【図４】前記電線余長収容ケースに取り付けるスライダを示し、（Ａ）は斜視図、（Ｂ）は断面図である。
【図５】前記電線余長収容ケースにワイヤハーネスをバンドクリップで固定している状態を示す断面図である。
【図６】（Ａ）は前記ワイヤハーネスに外装材を取り付けた状態の斜視図、（Ｂ）は前記外装材の展開図である。
【図７】（Ａ）〜（Ｅ）はワイヤハーネスの組付工程を示す図面である。
【図８】第２実施形態の要部断面図である。
【図９】（Ａ）（Ｂ）は従来例を示す図面である。
【図１０】従来の問題点の説明図である。
【発明を実施するための形態】
【００２１】
以下、本発明の実施形態を図面を参照して説明する。
図１乃至図７に本発明の第１実施形態を示す。
図１および図２に示すように、自動車に搭載するスライドシート１はフロア側の車室床材２に設置するシートレール３上に車輪Ｒがスライド自在に搭載されている。図１に示す前席側の運転席と助手席のスライドシート１、１の間には車室床材２の上面からコンソールボックス５が突設されている。該コンソールボックス５の外周壁５ａは両側のスライドシート１、１と僅かな隙間をあけて位置する。該コンソールボックス５の上部には小物入れ５ｂが設けられ、該小物入れ５ｂの上端開口を蓋５ｃで開閉できるようにされている。
【００２２】
前記スライドシート１に装着する電装品に給電するために、図２（Ｂ）に示すように、スライドシート１内にシートハーネス５０を配線していると共に、該シートハーネス５０とフロアパネルＰ上に配索されるフロアハーネス６０から枝線を分岐させてスライドシート用のワイヤハーネス６としている。該ワイヤハーネス６をスライドシート１とフロアＰ上のフロアハーネスとの間に配索している。
【００２３】
前記ワイヤハーネス６には、スライドシート１のスライド距離に対応した余長部を設ける必要があり、この余長部を設けたワイヤハーネス６を移動自在に迂回させて挿通する電線余長収容ケース１０を前記コンソールボックス５の外周壁５ａの外面に固定している。図２（Ｂ）に示すように、電線余長収容ケース１０の固定位置Ｈ１は、前記スライドシート１のシート１Ａを水平の正常位置とした状態で、該シート１Ａの底面１ｂのシートハーネス５０の接続位置の高さＨ２よりも高い位置としている。すなわち、フロア側の車室床材２の上面より高く且つ車室床材２より下方のフロアパネルＰの上面よりかなり高い位置とし、従来、フロア側に電線余長収容ケース１０を配置する位置よりかなり高い位置としている。
【００２４】
かつ、コンソールボックス５に対する電線余長収容ケース１０の固定位置Ｈ１は、スライドシート１のシート１Ａを前記図１０に示すようにワイヤハーネス接続作業のために前端を上方に持ち上げて傾斜させた時（図２（Ｂ）中の一点鎖線で示す位置）のシート１Ａの底面のシートハーネス５０の接続位置の高さＨ３より低い位置であるが、該高さＨ３と正常位置に戻した時の高さＨ２との略中間位置に電線余長収容ケース１０の固定位置Ｈ１を位置させている。これにより、ワイヤハーネスの接続作業時と、接続作業後にシート１Ａを水平位置に戻した正常時とにおける電線余長収容ケース１０からシートハーネス５０との接続位置までのワイヤハーネス６の必要長さを同等としている。
【００２５】
電線余長収容ケース１０は、図３に示すように、長円形状の迂回部１１と、該迂回部１１の上側長辺の全長に沿うと共に更に長さ方向の一端側を延在させたスライダ嵌合部１２とを組み合わせて全体形状を略Ｊ形状としている。該Ｊ形状とした浅底の本体１０Ａにワイヤハーネス６を挿通した後に閉鎖するＪ形状の蓋１０Ｂを設けている。本体１０Ａに固定用ブラケット１３を突設し、該固定用ブラケット１３をコンソールボックス５の外側壁に当接させてボルト止め固定している。なお、Ｊ形状の筒体とした本体を設け、該本体の上面の前記スライダ嵌合部１２の上端を開口とし、該開口を通してワイヤハーネス６を挿通した後に、スライダ嵌合部１２の上端を閉鎖する蓋を設けてもよい。
【００２６】
該電線余長収容ケース１０は上側のスライダ嵌合部１２をスライダ摺動部とし、該スライダ摺動部の上面にスライダ摺動溝１４からなるシート側引出口を設けている。該電線余長吸収ボックス１０内において、ワイヤハーネス６をスライダ嵌合部１２から迂回部１１を通し、迂回部１１の下側長辺部の先端に設けたフロア側引出口１５からワイヤハーネス６をフロア側へ引き出している。
【００２７】
図４に示すように、前記ワイヤハーネス６に四角筒形状のスライダ７を外嵌固定し、該スライダ７の外周の対向面に設けた摺動溝７ａをスライダ摺動溝１４の両側縁にスライド自在に載置し、スライダ７をスライダ嵌合部１２内に移動自在に取り付けている。該スライダ７の上端開口より引き出すワイヤハーネス６をシート１Ａ側へと配線し、その端末に接続したコネクタ８Ａをシート１Ａの底面に配置しているシートハーネス５０の端末のコネクタ８Ｂと嵌合接続している。
【００２８】
図５に示すように、電線余長収容ケース１０のフロア側引出口１５の近傍で、ワイヤハーネス６にバンドクリップ１６を取り付けている。該バンドクリップ１６の係止羽根を電線余長収容ケース１０の本体に設けた係止穴に挿入係止してワイヤハーネス６をフロア側引出口１５の近傍で固定している。フロア側引出口１５より引き出しているワイヤハーネス６は、フロアハーネス６０の幹線から分岐した枝線で、車室床材２の挿通穴を通してコンソールボックス側へ引き出したものである。
【００２９】
前記電線余長収容ケース１０内に挿通すると共に、スライダ摺動溝１４からなるシート側引出口およびフロア側引出口１５から外部に引き出すワイヤハーネス６は、図６（Ａ）に示すように、本出願人の前記特願２０１２−２７８７２７号に記載のキャタピラ型の折り畳み式のプロテクタからなる外装材４０で外装し、屈曲自在に保護している。該外装材４０は図６（Ｂ）に示すように、帯状の平板に長さ方向に延在すると共に幅方向に間隔をあけて設けた複数本の折曲ライン４０ａを折り曲げ，一端側に突設した係止片４０ｄを他方側に設けた係止穴４０ｈに挿入係止して４角筒型に組み立てている。該組立状態で、長さ方向に間隔をあけて幅方向に切り込み４０ｂを入れて筒型の一方側を分離させると共に他方側を連続させ、前記一方側は屈曲するが他方側は屈曲しない状態で連結している。
ワイヤハーネス６を外装材４０で外装した状態で電線余長収容ケース１０内で前後面の内面に沿ってスライドし、安定姿勢で保持されると共にガタツキ無くスライドできるようにしている。かつ、スライダ８内も外装材４０で外装した状態で挿通固定している。
【００３０】
前記ワイヤハーネス６の組付工程について、図７を参照して説明する。
まず、図７（Ａ）に示すように、フロアハーネスの幹線から分岐するワイヤハーネス６を外装材４０で外装し、かつ、バンドクリップ１６を取り付けると共にスライダ７を外嵌固定する。
【００３１】
ついで、図７（Ｂ）に示すように、電線余長収容ケース１０内にワイヤハーネス６の中間部を挿通し、スライダ７をスライダ摺動溝１４に移動自在に装着して、スライダ７よりワイヤハーネス６のシート側を外方に引き出す。他方側で、バンドクリップ１６を本体１０Ａに係止し、フロア側引出口１５からワイヤハーネス６を引き出しておく。
【００３２】
前記工程までは、ワイヤハーネス組立工場で行う。その後、自動車組立工場で、自動車に搭載しているスライドシート１のシートハーネス５０とフロアハーネス６０の接続作業を行う。
【００３３】
自動車組立ラインにおいて、まず、図７（Ｃ）に示すように、フロア側に配索しているフロアハーネス６０から分岐するワイヤハーネス６を通して電線余長収容ケース１０をコンソールボックス５に固定する。即ち、電線余長収容ケース１０のブラケット１３をボルト止めする。  
【００３４】
其の際、助手席と運転席の両方のスライドシート１で、最大スライド量が３００ｍｍ以下であれば、助手席と運転席の両方のスライドシート１に配索するワイヤハーネス６を前記電線余長収容ケース１０にそれぞれ挿通している。よって、これら左右一対となる電線余長収容ケース１０をコンソールボックス５の両側外側壁５ａに固定する。
一方、助手席のスライドシート１のスライド量が大きく、運転席シートのスライド量が少ない場合、該助手席のスライドシート１に接続するワイヤハーネス６のみ前記電線余長収容ケース１０に挿通し、コンソールボックス５の助手席側の外側壁５ａに固定する。
【００３５】
コンソールボックス５の外側壁５ａに、電線余長収容ケース１０を高さ位置Ｈ１に電線余長収容ケース１０に固定する。該固定状態で、スライダ摺動溝１３は上端に位置し、該スライダ摺動溝１４に装着しているスライダ７を通してワイヤハーネス６をシート１Ａ側へ引き出している。
【００３６】
ついで、図７（Ｄ）に示すように、従来の図１０と同様に、スライドシート１に内蔵しているシートハーネス５０の端末のコネクタ８Ｂを底面に位置させているスライドシート１のシート１Ａの前端を持ち上げて上向き傾斜させる。この状態で、コンソールボックス５に固定している電線余長収容ケース１０より引き出しているワヤハーネス６を上向きに引っ張り、先端のコネクタ８Ａを前記シートハーネス５０の端末のコネクタ８Ｂと嵌合接続する。
【００３７】
その後、図７（Ｅ）に示すように、スライドシートのシート１を原状の水平状態に戻す。
コンソールボックス５への電線余長収容ケース１０の取付高さＨ２は、前記図２に示す正常使用状態の高さ位置Ｈ３と接続作業時の高さ位置Ｈ１との中間高さ位置であり、正常使用時に必要なワイヤハーネス６の長さは接続作業時に必要な長さと略同等となる。よって、接続作業のためにワイヤハーネス６を過度に長くする必要はない。
【００３８】
前記のように、コンソールボックス５に固定した電線余長収容ケース１０内でワイヤハーネス６の余長部を移動自在に迂回させて挿通していることにより、スライドシート１の前後移動にワイヤハーネス６を追従させることができる。即ち、スライドシート１の前進移動時に、シート１Ａと連結しているワイヤハーネス６のシート側引出部によりスライダ７がスライダ摺動溝１４を前進し、スライダ嵌合部１２側へ迂回部１１内の迂回しているワイヤハーネスが引き出されてスライドシート１の前進に追従する。一方、スライドシート１の後退移動時に、スライダ７がスライダ摺動溝１４を後退し、スライダ嵌合部１２側から迂回部１１内のワイヤハーネスが引き込まれて迂回量が増大し、スライドシート１の後退に追従する。
【００３９】
本発明では、電線余長収容ケース１０をコンソールボックス５に固定して、フロア側に固定する場合と比較して設置高さを上昇させているため、スライドシートのシートハーネス５０との接続作業時に上向き傾斜させるシートとの距離を短縮できる。よって、ワイヤハーネスを組付作業のためにワイヤハーネス６を過度に長くする必要はない。よって、電線余長収容ケースを大型化する必要はなく、かつ、シートの下部に電線余長収容ケース１０を配置しないため、シート下部のスペースを有効利用できる。さらに、電線余長収容ケース１０をフロア側に設置した場合に床置き荷物や足踏みで損傷が発生する恐れがあるが、コンソールボックスに固定すると前記負荷がかかることはない。
【００４０】
図８に第２実施形態を示す。
第２実施形態では、電線余長収容ケース１０をコンソールボックス５の外側壁５ａの内面に固定している。この固定部分は上部の小荷物入れ５ｂより下方のデットスペースとなっている部分である。電線余長収容ケース１０からシート側へ引き出されるワイヤハーネス５はコンソールボックスの外側壁５ａに設けたワイヤハーネス引出穴５ｈを通して引き出し、前記第１実施形態と同様にスライドシートに内蔵したシートハーネスとコネクタ接続している。他の構成、自動車への取付工程および作用効果は前記第１実施形態と同様であるため、説明を省略する。
【００４１】
本発明は前記実施形態に限定されず、コンソールボックスに固定する電線余長収容ケース１０を挿通するワイヤハーネスの電線の両端にコネクタを接続し、フロア側でフロアハーネスの枝線と接続し、シート側でシートハーネスと接続してもよい。
【符号の説明】
【００４２】
１  スライドシート
１Ａ  シート
２  車室床材
５  コンソールボックス
６  ワイヤハーネス
７  スライダ
１０  電線余長収容ケース
１１  迂回部
１２  スライダ嵌合部
１３  ブラケット
１４  スライダ摺動溝（シート側引出口）
１５  フロア側引出口
１６  バンドクリップ
５０  シートハーネス
６０  フロアハーネス
Ｐ  フロアパネル
【図１】
2015080390.tif 000003
【図２】
2015080390.tif 000004
【図３】
2015080390.tif 000005
【図４】
2015080390.tif 000006
【図５】
2015080390.tif 000007
【図６】
2015080390.tif 000008
【図７】
2015080390.tif 000009
【図８】
2015080390.tif 000010
【図９】
2015080390.tif 000011
【図１０】
2015080390.tif 000012